(57)【要約】      （修正有）【課題】特にシンクロ機構を備えていて、いっそう高い快適性を持つ椅子の提供。【解決手段】背面サポート６に締結された背もたれ８を具備する椅子において、背面サポート６を、傾斜軸Ａ１を中心として回動できるように、ベースサポートユニット２に支承させる。特に背もたれ８の傾きで身体をうまく支え、体形に合わせられるようにするため、肩部域１０を、一方で肩軸Ａ３を中心として傾斜できるように背面サポート６と連結し、他方で腰椎部域２０において背面下部域１２とヒンジ連結する。更に背面下部域１２を、肩部域１０が肩軸Ａ３を中心として傾斜した場合に、肩部域１０の背面下部域１４に対する方位角が変化できるように、椅子エレメント、特にシート６に沿って延設する。また、補完的に側部域を、肩部域１０の傾斜のときに自らの方位も強制的に変えられるように形成する。【選択図】図３
2016105787.tif 000002
【特許請求の範囲】
【請求項１】
ベースサポートユニット（２）の上に締結されたシート（６）、背面下部域（１２）と上肩部域（１０）を具備し、背面サポート（６）に締結された背もたれ（８）を有し、背面サポート（６）が、傾斜軸（Ａ１）を中心として回動できるようにベースサポートユニット（２）に支持された形の椅子、特に事務用椅子であって、
前記肩部域（１０）が肩軸（Ａ３）を中心として傾斜できるように前記背面サポート（６）と連結され、腰椎部域（２０）において背面下部域（１２）とヒンジ連結されていること、及び、前記背面下部域（１２）は更に、前記肩部域（１０）が肩軸（Ａ３）を中心として傾斜すると、該肩部域（１０）の前記背面下部域（１２）に対する方位角が変化できるように椅子エレメント（２２）に沿って延びていることを特徴とする椅子。
【請求項２】
前記背もたれ（８）が、中心部域（１６）、ならびに、これと境を接し、前方へサイドガイドの方に向けられた側部域（１８）を有し、ここで、前記肩部域が傾斜すると、前記中心部域（１６）に相対する前記側部域（１８）の向きが強制的に変えられることを特徴とする請求項１に記載の椅子。
【請求項３】
前記側部域（１８）が、垂直軸（Ｂ１、Ｂ２）を中心として前記中心部域（１６）と向き合って旋回できることを特徴とする請求項２に記載の椅子。
【請求項４】
前記背面下部域（１２）が前記シート（６）とヒンジ連結されていることを特徴とする先行請求項の１項に記載の椅子。
【請求項５】
前記シート（６）が、シート前部（２４）にヒンジ締結されたシート後部（２２）を具備することを特徴とする先行請求項の１項に記載の椅子。
【請求項６】
前記肩部域（１０）に、頭部を支える背面上部域（１４）が続いており、これが特に前記肩部域（１０）とヒンジ連結されていることを特徴とする先行請求項の１項に記載の椅子。
【請求項７】
前記背面サポート（６）と前記背もたれ（８）の間で働くばねエレメント（２６）が配置されており、これが、前記肩部域（１０）に復元力を加え、前記背面サポート（６）にヒンジ結合できるようにすることを特徴とする先行請求項の１項に記載の椅子。
【請求項８】
前記背もたれ（８）が、周囲に布（５４）を張ったフレーム（３８）を具備し、これが、前記肩部域（１０）にフレーム上部（４２）を、前記背面下部域（１２）にフレーム下部（４４）を有することを特徴とする先行請求項の１項に記載の椅子。
【請求項９】
前記フレーム（３８）が下クロスバー（４４）と上クロスバー（４６）を具備し、この上クロスバー（４６）が前記背面サポート（６）とヒンジ連結されていることを特徴とする請求項８に記載の椅子。
【請求項１０】
前記フレーム（３８）が上クロスバーと下クロスバー（４４、４６）を具備し、これらがそれぞれ前記フレーム上部（４２）、フレーム下部（４０）とヒンジ連結されている、それも、前記肩部域（１０）が肩軸（Ａ３）を中心として傾斜すると、前記フレーム部分（４０、４２）がそれぞれ内向き、外向きに旋回するようにヒンジ連結されていることを特徴とする請求項８又は９に記載の椅子。
【請求項１１】
好ましくは、前記下クロスバー（４４）と機械的に回転不動で連結された腰椎サポート（５８）が配置されていることを特徴とする請求項８〜１０のうちのいずれかに記載の椅子。
【請求項１２】
相異なる前記フレーム部材（４０〜４６）のヒンジ連結が切欠き（５６）を介して実現していることを特徴とする請求項８〜１１のうちのいずれかに記載の椅子。
【請求項１３】
前記背もたれ（８）が、互いに旋回運動自在に締結された複数の背面エレメント（２８〜３４）、すなわち、少なくとも、前記肩部域（１０）を限定する主背面エレメント（２８）と、この主背面エレメント（２８）の下端にヒンジ締結され、前記背面下部域（１２）を形成する下背面エレメント（３０）を具備することを特徴とする請求項１〜７のうちのいずれかに記載の椅子。
【請求項１４】
前記主背面エレメント（２８）と前記下背面エレメント（３０）に、それぞれ側部で側部エレメント（３４）がヒンジ締結されており、これらの側部エレメント（３４）も互いにヒンジ締結されていることを特徴とする請求項１３に記載の椅子。
【請求項１５】
前記背面エレメント（２８〜３４）がそれぞれ楔形面又は台形面を有し、隣り合う背面エレメント（２８〜３４）が互いに支え合う形で配置されていることを特徴とする請求項１３〜１４の１項に記載の椅子。
【請求項１６】
前記背面エレメント（２８〜３４）がフィルムヒンジ方式で互いにヒンジ連結されていることを特徴とする請求項１３〜１５のうちのいずれかに記載の椅子。
【請求項１７】
複数の背面エレメント（２８〜３４）がワンピース形の部材により作られており、
ここで、個々の背面エレメント（２８〜３４）が、マテリアルブリッジとして形作られたフィルムヒンジにより互いに連結されていること、又は、前記背面エレメント（２８〜３４）がセパレートのプレートとして形作られ、これらが選択的に弾性ヒンジストリップか、大面積の、特に背面エレメント全面を覆う弾性カバーかのいずれかによって互いに連結されていることを特徴とする請求項１３〜１６のうちのいずれかに記載の椅子。
【発明の詳細な説明】
【技術分野】
【０００１】
本発明は、請求項１の前段に記載の特徴を有する椅子、特に事務用椅子に関する。
【背景技術】
【０００２】
この種の椅子は、例えばＥＰ２１７３２１８Ｂ１から知ることができる。
【０００３】
最新の事務用椅子は、通例、背もたれが傾斜する時のシートと背もたれの相関的な運動を、背もたれの傾斜と同時にシート後部域も傾斜させられるように作り出すいわゆるシンクロ機構を備えている。
【０００４】
このシンクロ機構は、そこで通常、シート下側でサポートユニット（ここではベースサポートユニットと呼ぶ）の中に一体化している。このサポートユニットは、通常、サポートアーム上で締結され、これを介して台脚と連結されている。基本的に、様々な作りのシンクロ機構が知られている。また、背もたれに作用する復元力が自動的にその時々の現実の利用者の体重に合わせられる自動重量調整機能を持つ機構も知られている。このようなシンクロ機構と自動重量調整機能を持つ事務用椅子の１つの例を、上に挙げたＥＰ２１７３２１８Ｂ１から知ることができる。
【先行技術文献】
【特許文献】
【０００５】
【特許文献１】ＥＰ２１７３２１８Ｂ１公報
【発明の概要】
【発明が解決しようとする課題】
【０００６】
ここから出発して、本発明は、特にシンクロ機構を備えていて、いっそう高い快適性を持つこの種の椅子を提供する課題を基礎に置いている。
【課題を解決するための手段】
【０００７】
この課題は、発明のとおり、請求項１に記載の特徴を持つ椅子により解決される。
【０００８】
それによれば、椅子、特に事務用椅子は、ベースサポートユニットの上に締結されたシート、ならびに、背面下部域と上肩部域を具備し、背面サポートに締結された背もたれを包含する。背面サポートは特に略Ｊ字形に形作られており、傾斜軸を中心として回動できるようにベースサポートユニットに支持されている。ベースサポートユニット自体も、好ましくはシンクロ機構、ならびに、シートを形成するクッション入りシートサポートを支持(gelagert)する。更に、肩部域は、一方で背面サポートとヒンジ連結され、他方で背面下部域とヒンジ連結されている。肩部域は、ここで肩軸を中心として傾斜できる。その限りにおいて、肩部域と背面サポートの間に第１のヒンジ継手が形作られている。背面下部域の肩部域へのヒンジ連結は、背もたれの腰椎部域において行われる。肩部域と背面下部域は、それゆえ、略横向きに走る軸（以下、腰椎軸と呼ぶ）を中心として第２のヒンジ継手を介して互いに締結されている。最後に、背面下部域は更に１つの椅子エレメント、好ましくは背面サポート又はシートに沿って延びている。
【０００９】
背面下部域が、肩部域とこの背面下部域の間のヒンジ継手と結合したその下端で強制的にガイドされ、肩部域が肩軸を中心として旋回できることにより、機械的な強制ガイドが達成される、それも、肩部域が肩軸を中心として傾斜するときに背面下部域に相対する肩部域の方位角が変えられ、特に背もたれの腰椎部域が前方に、つまりシートの方に湾曲するように達成される（肩部域が、肩軸を中心として直立位置から後ろにもたれた位置へ傾斜するとき。）。同時に、背面下部域は、シート側ないしは背面サポート側のその下関節点においてガイドされる。そのため、背面下部域の下端において関節結合とガイドが可能であることは、それぞれ、特に背もたれが肩軸を中心として傾斜する時の長さ補正に役立つ。全体として、この強制ガイドにより、背もたれは腰椎部域が前方にせり出すことが可能となる。これにより、全体として椅子の快適性は高められる。
【００１０】
目的に叶う更に進んだ形態では、背もたれが、中心部域と、その両側でこれと境を接する側部域とを有し、これが前方、つまりシートの方を向いて効果的にサイドガイドの働きをする。中心部域に相対するこの側部域の向きは、目的に叶う更に進んだ形態では、肩部域が肩軸を中心として傾斜するときに同じく強制的に変えられる。それも、肩部域が後方に傾斜するときに側部域が略前方に倒れ、これで、より効果的にサイドガイドの働きをするように変えられる。つまり、全体として、身体の腰椎部分を支えるのと同時に、側部域がより効果的な案内のために前方へ案内されるように、同期的な強制運動が行われるのである。
【００１１】
側部域の前方への回動を可能にするために、この側部域は、目的に叶う仕方で垂直軸を中心として中心部域と向き合って旋回できる。そのため、背もたれ自体は、その側面に沿って、垂直方向を向いたヒンジ継手を介して前方に倒されるか少なくとも曲げられる部域を持つ。そのため、背もたれ自体には、肩部域と背面下部域の間の典型的な水平ヒンジ式継手のほかに、各中心部域と側部域の間にも実質的に垂直な２つのヒンジ式継手が形作られている。これらのヒンジ式継手は、ここで、弾性（曲げ）部域によって形作られていても、ヒンジによって形作られていてもよい。
【００１２】
目的に叶う更に進んだ形態では、更に、背面下部域がシートとヒンジ連結されている。背もたれとシートとの直接的な連結により、シートと背もたれの間の過渡部域において、身体を傾斜位置全体にわたってより良くガイドすることができる。
【００１３】
目的に叶うように、シートはここで、シート前部にヒンジ式に締結されたシート後部を具備する。両方のシート部分はここで、１つの軸（以下、シート軸と呼ぶ）を中心として回動できるように、相応のヒンジ継手を介して互いに支持されている。シート後部が一方でシート前部と、他方で背面下部域と結合したこのヒンジ式結合を介して、肩部域が肩軸を中心として傾斜するときの長さ補正が単純な仕方で、つまり、背面下部域が上に肩軸の方へ引っ張られる仕方で行われる。それゆえ、この処置により、肩部域が後方に傾斜するとき、シート後部は背面下部域を介して上に引っ張られ、それで、シートと背もたれの間の過渡部域においても身体を支えることができる。
【００１４】
シート後部が旋回自在に支持されていることは、同時に、背もたれ全体が傾斜軸を中心として傾斜するとき、つまり、背面サポートがベースサポート側の傾斜軸を中心として後方に傾斜するときも、快適性を高める働きをする。この運動の時も、シート後部域の効果的な強制ガイドが行われる。ここで、両方のシート部分は通常、プレート又はシェル、つまり機械的剛性に優れたシートサポートユニットから作られ、その上にシートクッションが載せられている。
【００１５】
できる限り高い快適性に鑑み、シート軸は、傾斜軸の後方、つまり背もたれの方に向けられている。更に、シート軸は、及び／又は、好ましくは傾斜軸も、特に股関節により限定される身体回転軸の近くに配置されている。これにより、傾斜時の背もたれないしはシートと身体の間の相対的ずれが最小限に抑えられる。
【００１６】
目的に叶う更に進んだ形態では、肩部域に続いて更なる背面上部域があり、これが頭部を支えるのに役立つので、頭部域と呼ぶこともできる。この背面部域も肩部域と結合しており、目的に叶う形態では、これもヒンジ式である。ここで、更なる実施バリエーションでは、背面上部域も横方向に旋回できる部域を持ち、これも同様に更なる側部域と結合している。これにより、全体として強制ガイドが得られ、側部域が強制的に前方に倒されることになる。
【００１７】
肩部域は、背面サポートにかかる復元力に抗して肩軸を中心として傾斜できるように配置されている。これは、好ましくはばねエレメントによって作られるか、または背面サポートと肩部域の間のヒンジ継手のばね弾性的な作りによっても実現できる。好ましくは、例えば背面サポートと背もたれの間に、復元力を肩部域に加えるばねエレメントが配置されている。ここで、このばねエレメントは、例えば背面サポートと背もたれの間に張着された弾性エレメント、（圧力）ばねとして形作られており、又は、ヒンジ継手の中に一体化した形に作られている。復元力は、目的に叶うように調整可能である。
【００１８】
背もたれは、第１の好ましい実施バリエーションによれば、周囲に布、例えばメッシュ布を張ったフレームにより作られている。これは、肩部域にフレームサイド上部分を、背面下部域にフレームサイド下部分を有し、ここで、フレーム両部分が互いにヒンジ式に連結されている。フレーム上部分とフレーム下部分は、ここで好ましくは、互いに角度を付けて、それも、腰椎部域において、従ってまた、特に背もたれの上肩部域と背面下部域の間のヒンジ継手の部域において、フレームが前方にシートの方へせり出すように角度を付けて配置されている。このせり出し範囲の中に、ヒンジ継手が、従ってまた、腰椎軸が形作られている。通常、これらのフレームサイド部分は、背面図で見て、横方向にも角度を付けて外へ張り出す形に作られている。
【００１９】
フレームは更に、特に曲げられている下クロスバーと上クロスバーを具備する。上クロスバーは、ここで好ましくは背面サポートとヒンジ式に連結されており、これで、この連結を介して肩部域と背面サポートの間のヒンジ継手が形作られている。
【００２０】
クロスバーは、ここで更に、目的に叶う作りでヒンジ式に、それも、特にすでに挙げた垂直軸を中心として回動できるように、フレーム上部分及びフレーム下部分とそれぞれ連結されている。このクロスバーのヒンジ式結合により、肩部域の傾斜の時にフレームサイド部分が内へ旋回し、逆の運動の時に再び外へ旋回する可能性が作られる。この一連の運動は、傾き調節時にフレームに作用する強制力により強制的に行われる。これは、一方で、フレームサイド部分が互いに屈曲し、その結果、腰椎部域が前方にせり出すことにつながる。これは同時に、フレーム両部分がクロスバーと向き合って内へ旋回し、従って、共に中心部域に向かって内へ旋回することにつながる。これにより、腰椎部域において望み通りの支えが得られ、また、サイド部域において補完的な脇支えが得られる。
【００２１】
フレームは、特に縁側が一周するだけの形に作られているので、身体を支えるそれ以上の支え部材を持たない。身体の支えは、もっぱら布張り部分で行われる。クロスバー、特に上クロスバーも、後方に湾曲しており、身体を好ましいように支えない。
【００２２】
しかしながら、同時に、腰椎部域において腰椎を力学的に信頼できる形で支えることを保証するため、補完的に、下クロスバーと連結された腰椎サポートが配置されている。ここで好ましくは、この腰椎サポートは力学的に回転不動に連結されており、従って、クロスバーの運動にも自動的に追従する。腰椎部域が前方に屈曲する時に必要な長さ補正が行われることから、通常、自動的にフレームサイド下部分のねじれが生じる。この部分にクロスバーは力学的に不動連結されているので、フレーム下部分の方位角は下クロスバーを介して腰椎サポートに伝達される。
【００２３】
個々のフレーム部材の間、つまり、フレームサイド両部分の間、ならびに、これらとクロスバーの間のヒンジ継手を構造上可能な限り単純な形に製作できるようにするため、ヒンジ継手を形成する(ausbildung)べく、好ましくはフレームに切欠きが作られている。フレームは、これで全体的にワンピース形のフレームとして、例えば、注型成形又は射出成形されたプラスチックフレームとして形作られている。フレームは、それゆえ、限定的な部域が材料減量により曲げ弾性に優れた形に作られている。
【００２４】
更に進んだ好ましい形態では、肩部域に補完的になお背もたれ上部が頭部を支えるべく形作られており、これが補助の上フレームにより限定されている。好ましくは、この上フレームも残りのフレームとワンピースの形に作られている。この上フレームは上クロスバーを受容し、そのフレームサイド部分が肩部域のフレームサイド部分に続く、それも、特に、垂直軸を介して限定されたヒンジ継手に続く。
【００２５】
第２の好ましい実施バリエーションによれば、背もたれは、互いに旋回自在に締結された複数の背面エレメント、すなわち、肩部域を限定する少なくとも１つの主背面エレメントと、この主背面エレメントの下端にヒンジ式に締結され、背面下部域を形成する下背面エレメントを具備する。個々の背面エレメントは、ここで、プレート形又はシェル形に作られているか、そのような形材を具備する。それゆえ、この実施バリエーションでは、背もたれは、互いに連結された複数の板状背面エレメントからモザイク状に形作られている。サイド部域を形作るため、好ましくは、主背面エレメントと下背面エレメントに、それぞれサイドの側部エレメント（wangenelement)がヒンジ式に締結されている。これらもまた、プレート又はシェルにより作られているか、そのような形材を具備し、同じく互いにヒンジ式に配置されているので、傾斜するとき、サイドの側部エレメントが肩軸を中心として前方にせり出すように、強制ガイドと強制運動が行われる。
【００２６】
好ましくは、補完的に頭部を支えるために中心部域に上背面エレメントが、また更に好ましくは、更なる側部エレメントが形作られており、これらが、上背面エレメントにヒンジ式に、また同時に、肩部域の側部エレメントにもヒンジ式に連結されている。
【００２７】
望みの強制ガイドをできる限り単純な仕方で可能にするために、ここで、個々の背面エレメントはそれぞれ楔形又は台形に形作られており、ここで、隣り合う背面エレメントが有利な仕方でそれぞれ互いに支え合う形で配置されている。それゆえ、肩部域も背面下部域もそれぞれ、好ましくは互いに支え合う形で台形に作られた３つのセパレートの背面エレメントにより作られている。同時に、隣り合う台形エレメントも、肩部域と背面下部域の間で同じく互いに支えられているので、長手側と短手側がそれぞれ向き合った配置になっている。台形の作りは、ここで特に、側部エレメント間の中心部域が、腰椎の部域で細幅になるように選択されている。同時に、側部エレメントの方は同部域で広幅になっている。
【００２８】
背面エレメント同士の隣り合うエッジが、ここでそれぞれヒンジ継手を限定する。略台形又は楔形の作りであることから、垂直軸は、中央の背面エレメントと側部エレメントの間を正確に垂直の方向に走っていない。それゆえ、ここで垂直軸と言う時、これは単に略垂直の方向にあるだけで、正確な垂直の方向から、例えば±３０％の偏りがあり得るものと理解されたい。これは、上に挙げた両方の実施バリエーションにも当てはまる。
【００２９】
個々の背面エレメントは、目的に叶う仕方で、その互いに境を接する側又はエッジにおいて、それぞれフィルムヒンジ方式で互いにヒンジ式に連結されている。加えて、好ましい形態では、背面エレメントは、第１の実施バリエーションの通り、個別のセパレートのプレート又はシェルとして形作られている。これらが、それぞれ平面的な、例えば繊維布又はゴム弾性シートからなる弾性ヒンジストリップにより互いに連結されている、あるいは代わりに、大面積の、特に背面エレメント全面を覆う弾性カバー（クッション付きカバー）が使われている。ここで、クッションカバーの場合は、ポケットが縫い込まれ、その中に個々の板状の背面エレメントが差し込まれていてもよい。
【００３０】
あるいは代わりに、複数の背面エレメント、特に背もたれ全体が、ワンピース形のプラスチック部品（例えば射出成形品）により形作られている。個々の背面エレメントは、マテリアルブリッジを介して互いに連結されている。すなわち、ワンピース部品に付けられた切欠き又はマテリアルテーパにより互いに仕切られている。この切欠きが同時に、フィルムヒンジ方式で形作られたヒンジ継手を限定する。このワンピース形のプラスチック背もたれは、通常、更にクッションカバーで覆われている。
【００３１】
以下、本発明の実施形態を図面に則して詳細に説明する。図面の示すところは次の通りである。
【図面の簡単な説明】
【００３２】
【図１】図１は、第１の実施バリエーションによる事務用椅子の斜視正面図である。
【図２】図２は、図１に示した事務用椅子の背面図である。
【図３】図３は、背もたれが標準の直立位置にある時の、図１に示した事務用椅子の側面図である。
【図４】図４は、背もたれが傾斜した時の、図１に示した事務用椅子の側面図である。
【図５】図５は、第２の実施バリエーションによる事務用椅子の切り取った一部分の斜視側面図である。
【図６】図６は、背もたれの肩部域だけが少し後方に傾斜した時の、図５に示した事務用椅子の斜視側面図である。
【図７】図７は、図５に示した事務用椅子の斜視側面図で、ここでは、図５に描かれた場面と比べて、背もたれが全体に傾斜軸を中心として後方に傾斜し、補完的に背もたれの肩部域が肩軸を中心として後方に傾斜した時の図である。
【図８】図８は、図５に描かれた実施バリエーションを補完して補助の腰椎サポートを配置した事務用椅子の改良実施バリエーションの斜視側面図である。
【発明を実施するための形態】
【００３３】
図において、同じ働きをする部品はそれぞれ同じ参照符号を付けている。
【００３４】
図示された事務用回転椅子は、両方の実施バリエーションにおいてそれぞれベースサポートユニット２を具備し、これにシート４ならびに背面サポート６が締結されている。背面サポート６は、傾斜軸Ａ１を中心として回動できるようにベースサポートユニット２に支承されている。ベースサポートユニット２は、ここで詳細に図示されていないシンクロ機構を受容する。これには重量調整用の機構も含まれている。これは、自動重量調整装置として形作ってあっても、手動調整式の重要調整装置として形作ってあってもよい。
【００３５】
背面サポート６に、複数の部分部域に分割された背もたれ８が締結されている。従って、これは上肩部域１０と背面下部域１２を有する。その上肩部域１０に続いて、両実施形態では更に、頭部域を形成する背面上部域１４がある。
【００３６】
全体として、背もたれ８は中心部域１６を有し、これに横方向においてそれぞれ側部域１８が続く。
【００３７】
肩部域１０と背面下部域１２は、腰椎部域２０において互いに境を接し、ここで、ヒンジ継手を介して互いにヒンジ式に締結されている。それゆえ、これらは共通の軸（以下、腰椎軸A ２と呼ぶ）を中心として互いに傾斜でき、これで、その相対する方位角が変えられることになる。
【００３８】
肩部域１０も、この肩部域１０が水平軸（以下、肩軸Ａ３と呼ぶ）を中心として傾斜することを可能にする更なるヒンジ継手を介して背面サポート６とヒンジ式に連結されている。補完的に、実質的に垂直に走る横方向の垂直軸、すなわち上垂直軸Ｂ２が肩部域１０の中に形作られ、下垂直軸Ｂ２が背面下部域１２の中に形作られている。垂直軸Ｂ１、Ｂ２は、側部域１８が前方へシート４の方向に内旋回するのを可能にする。
【００３９】
両方の実施形態において、背もたれ８は力学的にシート４と直接連結されている。それゆえ、背面サポート６とベースサポートユニット２を介した間接連結に加えて、背もたれ８とシート４の間に直接連結が形作られている。また、シート４は、力学的に背面下部域１２と連結された板状シート後部２２を具備する。ここでの連結は特にヒンジ継手を介して行われ、少なくとも１つの、連結軸Ａ４を中心とする或る程度の旋回運動が可能である。シート後部２２自体は、更なるヒンジ継手を介してシート軸Ａ５を中心として旋回できるようにシート前部２４に締結されている。両シート部分２２、２４は、ここで、プレート形又はシェル形に作られていて、特にツーピ−ス形のシートサポートを形成し、最終的にクッションを支持する働きをする。
【００４０】
背面サポート６と背もたれ８の間で働くばねエレメント２６（図３及び４を参照）が復元力を肩部域１０に加え、これで、肩軸Ａ３を中心として肩部域１０の傾き調節が可能となる。
【００４１】
図１〜４に描かれた実施形態において、背もたれ８は、複数の、プレート形又はシェル形の背面エレメント、すなわち、肩部域１０の中心部域を形成する主背面エレメント２８と、背面下部域１２の中央部を形成する下背面エレメント３０と、背面上部域１４の中央部を形成する上背面エレメント３２を形成する。これら３つの背面エレメント２８、３０、３２はそれぞれ、水平に走るヒンジ継手を介して互いに連結されている。主背面エレメント２８と下背面エレメント３０は、腰椎軸Ａ２を介して互いにヒンジ式に連結されている。上背面エレメント３２は、主背面エレメント２８と共にヘッド軸Ａ６を中心として傾斜できるように、主背面エレメント２８と連結されている。
【００４２】
これらの背面エレメント２８〜３２の各々に、サイドの側部エレメント３４が続いている。これが隣接する側部エレメント３４とそれぞれヒンジ式に連結されている。特に図３及び４の側面図から明らかな通り、側部エレメント３４はサイドから前方へシート４の方に延び、そこで、角度を付けて中心部域１６の背面エレメント２８〜３２の方に向けられている。
【００４３】
個々の背面エレメント２８〜３４は、それぞれ台形ないしは楔形又は三角形の基礎面を持ち、これで、長手側から短手側に向かって細幅ないしは先細に延びている。個々の背面エレメント２８〜３４はそれぞれ支え合う形で配置されているので、―垂直方向で見て―、隣接し合う背面エレメント２８〜３４はそれぞれ長手側ないしは短手側で互いに接している。これにより、腰椎部域２０にウエストが形作られている。同時に、側部エレメント３４はここでサイドから前方へ引っ張られている。
【００４４】
図１〜４に示した第１の実施バリエーションによる椅子の機能の仕方は、下記の通りである。
【００４５】
肩部域１０が（もっぱら）肩軸Ａ３を中心として後方に傾斜すると、これが背面下部域１２にヒンジ連結されていることから、背面下部域１２の方は略上方へ引っ張られ、同時に前方へシート６の方にもせり出し、これにより、腰椎部域２０において望みの支えが得られる。同時に、側部エレメント３４同士の力学的結合により、また、個々の背面エレメント２８〜３４の特殊な台形の形状にもより、側部エレメント３４は前方へシートの方に折れ込むので、上体はよりうまく抱え込まれ、従ってまた、脇もよりうまくガイドされることになる。背もたれ８が腰椎部域２０において前方へせり出すことから、背面下部域１２の範囲内で長さ補正が必要である。
【００４６】
これは、背面下部域１２のシート後部２２とのヒンジ結合と、シート前部２４とのヒンジ結合とによって行われる。肩部域１０が後方に傾斜すると、シート後部２２は、背面下部域１２との連結部域、つまり連結軸Ａ４の部域が略垂直の方向に上方へ引っ張られる。同時に、シート後部２２がシート前部２４と向き合って旋回運動する。従って、肩部域１０が肩軸Ａ３を中心として傾斜した途端、シート後部２２は斜め上方へ連れていかれる。肩軸Ａ３は、ここで大体、肩部域の略上部三分の一において形作られている。
【００４７】
通常、肩部域１０の傾き調節は、背もたれ８全体がベースサポートユニット２と向き合って傾斜するのと同時に、つまり、背面サポート６が傾斜軸Ａ１を中心として傾斜するときに行われる。このような複合的な傾斜の様子が、図４に図３との比較で描かれている。図３に描かれた、背面サポート６が基本の直立位置にあるこの初期ポジションから出発して、傾き調節の時、図４において矢印３６で表された、個々のエレメントのそれぞれの軸Ａ１〜Ａ６を中心とする回動運動が行われる。
【００４８】
傾斜軸Ａ１を中心とする背もたれ８の傾斜により、肩部域１０は肩軸Ａ３に沿って斜め後方に引っ張られる。これにより、図３に描かれた初期場面と比べて背もたれは伸長される。つまり、肩部域１０は肩軸Ａ３を中心として前方へシート４の方に傾き、これにより、肩部域と背面下部域１２の間の角度は大きくなる。これにより、全体としてシート後部２２は下方へ背面サポート６の方に引っ張られる。図３に描かれた初期場面では略直角であったシート後部２２と背面下部域１２の間の角度は、幾らか小さくなる。
【００４９】
従って、全体として、個々の軸Ａ１〜Ａ６により形作られているのは、互いに連結されたヒンジ鎖またはリンク鎖であり、これが、傾き調節時に背もたれ８の輪郭を望み通り強制的に適合させることにつながるのである。
【００５０】
背もたれの伸長により、つまり、そこで腰椎部域２０が後方へ背面サポート６の方にずらされることにより、同時に、側部域８において強制補正が引き起こされ、その結果、個々の側部エレメント３４が垂直軸Ｂ１、Ｂ２を中心として前方に折れ込み、また補完的に、背面上部域１４にある第３の垂直軸Ｂ３を中心としても前方に折れ込むことになる。
【００５１】
背もたれ８が直立位置に戻るとき、運動は逆の順序で行われる。ばねエレメント２６のばね力は、ここで、背もたれ８が直立位置から図４に描かれた傾斜位置に移行するときの伸長運動に対抗するように方向づけられている。
【００５２】
図５〜８に描かれた第２の実施形態でも、機能の仕方は基本的に同じである。従って、ここでも形作られているのは、傾斜時に背もたれの輪郭を強制的にガイドし、強制的に適合させることにつながるヒンジ鎖またはリンク鎖である。いずれにせよ、ここには、個々に形作られた背面エレメント２８〜３４は存在しない。背もたれ８はむしろ１つのフレーム３８、すなわち、背面下部域１２のフレーム下部４０と肩部域１０のフレーム上部４２と下クロスバー４４と上クロスバー４６からなるフレーム３８で作られている。本実施形態では、上クロスバー４６が同時に、背面上部域１４の範囲内でヘッドフレーム４８の下クロスバーを形成する。ヘッドフレーム４８は、フレーム上部４２の続く中で互いに向き合うサイド部分５０と、更に上のクロスバー５２を具備する。特に、上クロスバー４６と更に上のクロスバー５２は、ここで、後方に湾曲した形に作られている。フレーム部分４０、４２は、横側から見て、互いに角度を付けて配置されているので、腰椎部域２０は前方に湾曲している。
【００５３】
フレーム３８は、全体として布５４が張られている。腰椎軸Ａ２を形作るべく、フレーム３８には切欠き、つまりマテリアルテーパ５６が付けられている。両方の垂直軸Ｂ１、Ｂ２を形作るべく、相応の垂直方向の切欠き５６が、フレーム上部４２から上クロスバー４６への過渡領域と、フレーム下部４０から下クロスバー４４への過渡部域に付けられている。
【００５４】
上クロスバー４６は、背面サポート６の正面側の端と連結されており、この連結箇所において上クロスバー４６と背面サポート６の間の旋回運動が可能にされており、これによって肩軸Ａ３が限定されている。
【００５５】
図８の実施バリエーションでは、補完的になお、保持用ウェブを介して下クロスバー４４と回転不動で連結された腰椎サポート５８が配置されている。
【００５６】
図５は、背もたれ８が直立する無負荷状態の初期ポジションを示す。図６は、この無負荷の初期位置から出発して、もっぱら肩部域１０が肩軸Ａ３を中心として傾斜したときの位置を示す（傾斜軸Ａ１を中心とする傾斜なし）。すなわち、ヘッドフレーム４８が先に前方に傾斜した後、再びこのヘッドフレーム４８が後方に傾斜し、今や略直立の位置にある。そのため、布５４は全体的に幾らか上方に引っ張られる。必要な長さ補正は、シート後部２２がシート軸Ａ５を中心として上方に引っ張られることによって行われる。同時にここで、連結軸Ａ４を中心として、好ましくは弾力的に保持し合っているシート後部２２と背面下部域１２の間の角度位置を変えることができる。本実施形態では、図５に示した位置から図６に示した位置へのこの運動のとき、両フレーム部分４０、４２の間の角度位置の変化はない。つまり、ここでは未だ、腰椎軸Ａ２を中心とする回動が行われていない。
【００５７】
図７は、最後に、肩部域１０が、図６のとおり、肩軸Ａ３を中心として後方に傾斜し、同時に、背もたれ８全体も傾斜軸Ａ１を中心として後方に傾斜するときの、重層的かつ複合的な傾き調節を示す。図４に示した第１の実施バリエーションにおけるのと同様、ここでも、背もたれ８の下方への伸長が起こり、ここで、シート後部２２は、図５に描かれた初期場面と比べ下方に旋回する。同時に、肩部域１０は後方に傾斜する。この伸長は、全体として、サイドフレーム部分４０、４２が垂直軸Ｂ１、Ｂ２を中心として内へ旋回し、より効果的にサイドガイドの働きをすることにつながる。
【００５８】
図８に示した実施バリエーションでは、腰椎が腰椎部域２０において補完的になお腰椎サポート５８で支えられる。
【符号の説明】
【００５９】
２  ベースサポートユニット
４  シート
６  背面サポート
８  背もたれ
１０  上肩部域
１２  背面下部域
１４  背面上部域
１６  中心部域
１８  側部域
２０  腰椎部域
２２  シート後部
２４  シート前部
２６  ばねエレメント
２８  主背面エレメント
３０  下背面エレメント
３２  上背面エレメント
３４  側部エレメント
３６  矢印
３８  フレーム
４０  フレーム下部
４２  フレーム上部
４４  下クロスバー
４６  上クロスバー
４８  ヘッドフレーム
５０  サイド部分
５２  更なるクロスバー
５４  布
５６  切欠き
５８  腰椎サポート
Ａ１  傾斜軸
Ａ２  腰椎軸
Ａ３  肩軸
Ａ４  連結軸
Ａ５  シート軸
Ａ６  ヘッド軸
Ｂ１  上垂直軸
Ｂ２  下垂直軸
【図１】
2016105787.tif 000003
【図２】
2016105787.tif 000004
【図３】
2016105787.tif 000005
【図４】
2016105787.tif 000006
【図５】
2016105787.tif 000007
【図６】
2016105787.tif 000008
【図７】
2016105787.tif 000009
【図８】
2016105787.tif 000010
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
ベースサポートユニットの上に配置されたシートと、前記ベースサポートユニットに後傾動自在に連結された背面サポートに取付けられた背もたれとを有しており、
前記背もたれは、上端部が着座者の腰椎部に位置する背面下部域と、下端部が着座者の腰椎部に位置する肩部域とを有していて、前記肩部域が肩軸を中心として傾斜できるように前記背面サポートと連結されており、
前記背面下部域と肩部域とが腰椎部域においてヒンジ連結されており、かつ、前記背面下部域は更に、前記肩部域が肩軸を中心として傾斜すると該肩部域の前記背面下部域に対する方位角が変化できるように、椅子エレメントに沿って延びている構成であって、
前記背もたれは、周囲に布を張った背フレームを具備しており、前記背フレームは、前記肩部域にはフレーム上部を、前記背面下部域にはフレーム下部を有していて、前記フレーム上部には上クロスバーがヒンジ連結され、フレーム下部には下クロスバーがヒンジ連結されており、
前記肩部域が肩軸を中心として傾斜すると、前記フレーム上部及びフレーム下部がそれぞれ内向き又は外向きに旋回するようになっている、
椅子。
【請求項２】
前記上クロスバーには、その上に位置したヘッドフレームを設けており、前記布は、前記ヘッドフレームにも張られている、
請求項１に記載した椅子。
【請求項３】
前記シートは前記背面サポートに連動して後傾動する構成であり、前記下クロスバーは、前記シートの後部にヒンジ連結されている、
請求項１又は２に記載した椅子。
【請求項４】
前記シートは、側面視で相対回動するようにヒンジ連結されたシート前部とシート後部とから成っていて、前記シート後部が前記下クロスバーにヒンジ連結されており、前記背面サポートが後傾動すると、前記背フレームが変形して背面下部域と肩部域との相対角度が変化し、これに連動して、前記シートは全体として後傾しつつシート後部がシート前部に対して相対回動するようになっている、
請求項３に記載した椅子。
【請求項５】
前記背フレームのヒンジ連結は、切欠きによって形成されている、
請求項１〜４のうちのいずれかに記載した椅子。
【請求項６】
更に、前記布のうち腰椎部域の個所を後ろから支える腰椎サポートを備えている、
請求項１〜５のうちのいずれかに記載した椅子。
【請求項７】
ベースサポートユニットの上に配置されたシートと、前記シートとは別体の背もたれとを有しており、
前記背もたれは、上端部が着座者の腰椎部に位置する背面下部域と、下端部が着座者の腰椎部に位置する肩部域とを有していて、これら背面下部域と肩部域を、その境界部が手前にせり出すように側面視で山形の姿勢に配置することにより、着座者の腰部を支持する腰椎部域が形成されており、かつ、前記背面下部域と肩部域とは、前記腰椎部域の個所に位置した左右横長の腰椎軸を中心に相対回動可能であり、
更に、前記背もたれは、着座した人の体圧を受ける布が周囲に張られた背フレームを有していて、前記背フレームは、前記ベースサポートユニットに後傾動自在に連結された背面サポートで支持されており、前記背面サポートの後傾動に連動して背もたれが全体として後傾しつつ、前記背面下部域と肩部域とが相対動する構成であって、
前記背フレームは、上下方向に長い左右のサイドバーと、前記左右サイドバーの上端間に繋がった上クロスバーと、前記左右サイド部の下端間に繋がった下クロスバーとを有していて、前記左右のサイドバーは、前記腰椎部域になる部分が最も前に位置するように側面視で曲がっていると共に互いに向かっており、このため前記腰椎部域は着座した人の腰部を抱くような状態になっている一方、
更に、前記サイドバーにおいて前記腰椎部域の個所を挟んだ上下の部分は、側面視で相対回動し得るように腰椎部域の個所においてヒンジ連結されている一方、前記サイドバーの上端と下端とは、サイドバーが上下クロスバーに対して相対回動し得るように上下クロスバーに対してヒンジ連結されており、
かつ、前記上クロスバーが前記背面サポートにヒンジ連結されて、前記下クロスバーは前記シートにヒンジ連結されている、
椅子。
【手続補正２】
【補正対象書類名】明細書
【補正対象項目名】全文
【補正方法】変更
【補正の内容】
【発明の詳細な説明】
【技術分野】
【０００１】
本発明は、椅子（特に事務用椅子）に関する。
【背景技術】
【０００２】
事務用椅子の例は、例えばＥＰ２１７３２１８Ｂ１から知ることができる。
【０００３】
最新の事務用椅子は、通例、背もたれが傾斜（傾動）すると同時にシートも傾斜させるいわゆるシンクロ機構を備えている。
【０００４】
このシンクロ機構は、通常、シート下側で、サポートユニット（ここではベースサポートユニットと呼ぶ）の中に一体化されている。サポートユニットは、通常、ベースサポートアーム上で締結され、これを介して台脚と連結されている。基本的に、様々な作りのシンクロ機構が知られている。また、背もたれに作用する復元力（後傾動に対する抵抗）が使用者の体重に自動的に合わせられる自動重量調整機能を持つ機構も知られている。このようなシンクロ機構と自動重量調整機能を持つ事務用椅子の１つの例を、上に挙げたＥＰ２１７３２１８Ｂ１から知ることができる。
【先行技術文献】
【特許文献】
【０００５】
【特許文献１】ＥＰ２１７３２１８Ｂ１公報
【発明の概要】
【発明が解決しようとする課題】
【０００６】
ここから出発して、本発明は、いっそう高い快適性を持つ椅子の提供を課題に置いている。
【課題を解決するための手段】
【０００７】
本願発明は、各請求項の発明を有する。
このうち請求項１の発明は、
ベースサポートユニットの上に配置されたシートと、前記ベースサポートユニットに後傾動自在に連結された背面サポートに取付けられた背もたれとを有しており、
前記背もたれは、上端部が着座者の腰椎部に位置する背面下部域と、下端部が着座者の腰椎部に位置する肩部域とを有していて、前記肩部域が肩軸を中心として傾斜できるように前記背面サポートと連結されており、
前記背面下部域と肩部域とが腰椎部域においてヒンジ連結されており、かつ、前記背面下部域は更に、前記肩部域が肩軸を中心として傾斜すると該肩部域の前記背面下部域に対する方位角が変化できるように、椅子エレメントに沿って延びている構成であって、
前記背もたれは、周囲に布を張った背フレームを具備しており、前記背フレームは、前記肩部域にはフレーム上部を、前記背面下部域にはフレーム下部を有していて、前記フレーム上部には上クロスバーがヒンジ連結され、フレーム下部には下クロスバーがヒンジ連結されており、
前記肩部域が肩軸を中心として傾斜すると、前記フレーム上部及びフレーム下部がそれぞれ内向き又は外向きに旋回するようになっている。
請求項２の発明は、請求項１において、前記上クロスバーには、前記サイドバーの上に位置したヘッドフレームを設けており、前記布は、前記ヘッドフレームにも張られている。
請求項３の発明は、請求項１又は２において、前記シートは前記背面サポートに連動して後傾動する構成であり、前記下クロスバーは、前記シートの後部にヒンジ連結されている。
請求項４の発明は、請求項３において、
前記シートは、側面視で相対回動するようにヒンジ連結されたシート前部とシート後部とから成っていて、前記シート後部が前記下クロスバーにヒンジ連結されており、前記背面サポートが後傾動すると、前記背フレームが変形して背面下部域と肩部域との相対角度が変化し、これに連動して、前記シートは全体として後傾しつつシート後部がシート前部に対して相対回動するようになっている。
請求項５の発明は、請求項１〜４のうちのいずれかにおいて、前記背フレームのヒンジ連結は、切り欠きによって形成されている。
請求項６の発明は、請求項１〜５のうちのいずれかにおいて、更に、前記布のうち腰椎部域の個所を後ろから支える腰椎サポートを備えている。
【０００８】
請求項７の発明は、
ベースサポートユニットの上に配置されたシートと、前記シートとは別体の背もたれとを有しており、
前記背もたれは、上端部が着座者の腰椎部に位置する背面下部域と、下端部が着座者の腰椎部に位置する肩部域とを有していて、これら背面下部域と肩部域を、その境界部が手前にせり出すように側面視で山形の姿勢に配置することにより、着座者の腰部を支持する腰椎部域が形成されており、かつ、前記背面下部域と肩部域とは、前記腰椎部域の個所に位置した左右横長の腰椎軸を中心に相対回動可能であり、
更に、前記背もたれは、着座した人の体圧を受ける布が周囲に張られた背フレームを有していて、前記背フレームは、前記ベースサポートユニットに後傾動自在に連結された背面サポートで支持されており、前記背面サポートの後傾動に連動して背もたれが全体として後傾しつつ、前記背面下部域と肩部域とが相対動する構成であって、
前記背フレームは、上下方向に長い左右のサイドバーと、前記左右サイドバーの上端間に繋がった上クロスバーと、前記左右サイド部の下端間に繋がった下クロスバーとを有していて、前記左右のサイドバーは、前記腰椎部域になる部分が最も前に位置するように側面視で曲がっていると共に互いに向かっており、このため前記腰椎部域は着座した人の腰部を抱くような状態になっている一方、
更に、前記サイドバーにおいて前記腰椎部域の個所を挟んだ上下の部分は、側面視で相対回動し得るように腰椎部域の個所においてヒンジ連結されている一方、前記サイドバーの上端と下端とは、サイドバーが上下クロスバーに対して相対回動し得るように上下クロスバーに対してヒンジ連結されており、
かつ、前記上クロスバーが前記背面サポートにヒンジ連結されて、前記下クロスバーは前記シートにヒンジ連結されている。
【０００９】
背面下部域が、肩部域とこの背面下部域の間のヒンジ継手と結合したその下端で強制的にガイドされ、肩部域が肩軸を中心として旋回できることにより、機械的な強制ガイドが達成される、それも、肩部域が肩軸を中心として傾斜するときに背面下部域に相対する肩部域の方位角が変えられ、特に背もたれの腰椎部域が前方に、つまりシートの方に湾曲するように達成される（肩部域が、肩軸を中心として直立位置から後ろにもたれた位置へ傾斜するとき。）。
同時に、背面下部域は、シート側ないしは背面サポート側のその下関節点においてガイドされる。そのため、背面下部域の下端において関節結合とガイドが可能であることは、それぞれ、特に背もたれが肩軸を中心として傾斜する時の長さ補正に役立つ。全体として、この強制ガイドにより、背もたれは腰椎部域が前方にせり出すことが可能となる。これにより、全体として椅子の快適性は高められる。
【００１０】
目的に叶う更に進んだ形態では、背もたれが、中心部域と、その両側でこれと境を接する側部域とを有し、これが前方、つまりシートの方を向いて効果的にサイドガイドの働きをする。中心部域に相対するこの側部域の向きは、目的に叶う更に進んだ形態では、肩部域が肩軸を中心として傾斜するときに同じく強制的に変えられる。それも、肩部域が後方に傾斜するときに側部域が略前方に倒れ、これで、より効果的にサイドガイドの働きをするように変えられる。つまり、全体として、身体の腰椎部分を支えるのと同時に、側部域がより効果的な案内のために前方へ案内されるように、同期的な強制運動が行われるのである。
【００１１】
側部域の前方への回動を可能にするために、この側部域は、目的に叶う仕方で垂直軸を中心として中心部域と向き合って旋回できる。そのため、背もたれ自体は、その側面に沿って、垂直方向を向いたヒンジ継手を介して前方に倒されるか少なくとも曲げられる部域を持つ。そのため、背もたれ自体には、肩部域と背面下部域の間の典型的な水平ヒンジ式継手のほかに、各中心部域と側部域の間にも実質的に垂直な２つのヒンジ式継手が形作られている。これらのヒンジ式継手は、ここで、弾性（曲げ）部域によって形作られていても、ヒンジによって形作られていてもよい。
【００１２】
目的に叶う更に進んだ形態では、更に、背面下部域がシートとヒンジ連結されている。背もたれとシートとの直接的な連結により、シートと背もたれの間の過渡部域において、身体を傾斜位置全体にわたってより良くガイドすることができる。
【００１３】
目的に叶うように、シートはここで、シート前部にヒンジ式に締結されたシート後部を具備する。両方のシート部分はここで、１つの軸（以下、シート軸と呼ぶ）を中心として回動できるように、相応のヒンジ継手を介して互いに支持されている。シート後部が一方でシート前部と、他方で背面下部域と結合したこのヒンジ式結合を介して、肩部域が肩軸を中心として傾斜するときの長さ補正が単純な仕方で、つまり、背面下部域が上に肩軸の方へ引っ張られる仕方で行われる。それゆえ、この処置により、肩部域が後方に傾斜するとき、シート後部は背面下部域を介して上に引っ張られ、それで、シートと背もたれの間の過渡部域においても身体を支えることができる。
【００１４】
シート後部が旋回自在に支持されていることは、同時に、背もたれ全体が後傾動するとき、つまり、背面サポートが後傾するときも、快適性を高める働きをする。この運動の時も、シート後部域の効果的な強制ガイドが行われる。ここで、両方のシート部分は通常、プレート又はシェル、つまり機械的剛性に優れたシートサポートユニットから作られ、その上にシートクッションが載せられている。
【００１５】
できる限り高い快適性に鑑み、シート軸は、傾斜軸（背面サポートの回動軸）の後方、つまり背もたれの方に向けられている。更に、シート軸は、及び／又は、好ましくは傾斜軸も、特に股関節により限定される身体回転軸の近くに配置されている。これにより、傾斜時の背もたれないしはシートと身体の間の相対的ずれが最小限に抑えられる。
【００１６】
目的に叶う更に進んだ形態では、肩部域に続いて更なる背面上部域があり、これが頭部を支えるのに役立つ。従って、背面上部域は頭部域と呼ぶこともできる。この背面上部域も肩部域と結合しており、目的に叶う形態では、これもヒンジ式である。ここで、更なる実施バリエーションでは、背面上部域も横方向に旋回できる部域を持ち、これも同様に更なる側部域と結合している。これにより、全体として強制ガイドが得られ、側部域が強制的に前方に倒されることになる。
【００１７】
肩部域は、背面サポートにかかる復元力に抗して肩軸を中心として傾斜できるように配置されている。これは、好ましくはばねエレメントによって作られるか、または背面サポートと肩部域の間のヒンジ継手のばね弾性的な作りによっても実現できる。好ましくは、例えば背面サポートと背もたれの間に、復元力を肩部域に加えるばねエレメントが配置されている。ここで、このばねエレメントは、例えば背面サポートと背もたれの間に張着された弾性エレメント、（圧力）ばねとして形作られており、又は、ヒンジ継手の中に一体化した形に作られている。復元力は、目的に叶うように調整可能である。
【００１８】
本願発明では、背もたれは、周囲に布、例えばメッシュ布を張った背フレームにより作られている。これは、肩部域にフレームサイド上部分を、背面下部域にフレームサイド下部分を有し、ここで、フレーム両部分が互いにヒンジ式に連結されている。
フレーム上部（上部分）とフレーム下部（下部分）はサイドバーを構成するもので、互いに角度を付けて、それも、腰椎部域において、従ってまた、特に背もたれの上肩部域と背面下部域の間のヒンジ継手の部域において、背フレームが前方にシートの方へせり出すように角度を付けて配置されている。このせり出し範囲の中に、ヒンジ継手が、従ってまた、腰椎軸が形作られている。通常、これらのフレームサイド部分は、背面図で見て、横方向にも角度を付けて外へ張り出す形に作られている。
【００１９】
背フレームは更に、下クロスバーと上クロスバーを具備する。上クロスバーは、ここで好ましくは背面サポートとヒンジ式に連結されており、これで、この連結を介して肩部域と背面サポートの間のヒンジ継手が形作られている。
【００２０】
クロスバーは、ここで更に、目的に叶う作りでヒンジ式に、それも、特にすでに挙げた垂直軸を中心として回動できるように、フレーム上部及びフレーム下部とそれぞれ連結されている。このクロスバーのヒンジ式結合により、肩部域の傾斜の時にフレームサイド部分が内へ旋回し、逆の運動の時に再び外へ旋回する可能性が作られる。
この一連の運動は、傾き調節時に背フレームに作用する強制力により強制的に行われる。これは、一方で、フレームサイド部分が互いに屈曲し、その結果、腰椎部域が前方にせり出すことにつながる。これは同時に、フレーム両部分がクロスバーと向き合って内へ旋回し、従って、共に中心部域に向かって内へ旋回することにつながる。これにより、腰椎部域において望み通りの支えが得られ、また、サイド部域において補完的な脇支えが得られる。
【００２１】
背フレームは、特に縁側が一周するだけの形に作られているので、身体を支えるそれ以上の支え部材を持たない。身体の支えは、もっぱら布張り部分で行われる。クロスバー、特に上クロスバーも、後方に湾曲しており、身体を好ましいように支えない。
【００２２】
しかしながら、同時に、腰椎部域において腰椎を力学的に信頼できる形で支えることを保証するため、補完的に、下クロスバーと連結された腰椎サポートが配置されている。ここで好ましくは、この腰椎サポートは力学的に回転不動に連結されており、従って、クロスバーの運動にも自動的に追従する。腰椎部域が前方に屈曲する時に必要な長さ補正が行われることから、通常、自動的にフレームサイド下部分のねじれが生じる。この部分にクロスバーは力学的に不動連結されているので、フレーム下部分の方位角は下クロスバーを介して腰椎サポートに伝達される。
【００２３】
個々のフレーム部材の間、つまり、フレームサイド両部分の間、ならびに、これらとクロスバーの間のヒンジ継手を構造上可能な限り単純な形に製作できるようにするため、ヒンジ継手を形成する(ausbildung)べく、好ましくは背フレームに切欠きが作られている。背フレームは、これで全体的にワンピース形の背フレームとして、例えば、注型成形又は射出成形されたプラスチックフレームとして形作られている。背フレームは、それゆえ、限定的な部域が材料減量により曲げ弾性に優れた形に作られている。
【００２４】
更に進んだ好ましい形態では、肩部域に補完的になお背もたれ上部が頭部を支えるべく形作られており、これが補助のヘッドフレームにより限定されている。好ましくは、このヘッドフレームも残りの背フレームとワンピースの形に作られている。このヘッドフレームは上クロスバーを受容し、そのフレームサイド部分が肩部域のフレームサイド部分に続く、それも、特に、垂直軸を介して限定されたヒンジ継手に続く。
【００２５】
【００２６】
【００２７】
【００２８】
ここで垂直軸と言う時、これは単に略垂直の方向にあるだけで、正確な垂直の方向から、例えば±３０％の偏りがあり得るものと理解されたい。これは、上に挙げた実施バリエーションにも当てはまる。
【００２９】
【００３０】
【００３１】
図面の示すところは、次の通りである。
【図面の簡単な説明】
【００３２】
【図１】図１は、参考例による事務用椅子の斜視正面図である。
【図２】図２は、図１に示した事務用椅子の背面図である。
【図３】図３は、背もたれが標準の直立位置にある時の、図１に示した事務用椅子の側面図である。
【図４】図４は、背もたれが傾斜した時の、図１に示した事務用椅子の側面図である。
【図５】図５は、実施バリエーションによる事務用椅子の切り取った一部分の斜視側面図である。
【図６】図６は、背もたれの肩部域だけが少し後方に傾斜した時の、図５に示した事務用椅子の斜視側面図である。
【図７】図７は、図５に示した事務用椅子の斜視側面図で、ここでは、図５に描かれた場面と比べて、背もたれが全体に傾斜軸を中心として後方に傾斜し、補完的に背もたれの肩部域が肩軸を中心として後方に傾斜した時の図である。
【図８】図８は、図５に描かれた実施バリエーションを補完して補助の腰椎サポートを配置した事務用椅子の改良実施バリエーションの斜視側面図である。
【発明を実施するための形態】
【００３３】
以下、参考例と本発明の実施形態を、図面に則して詳細に説明する。図において、同じ働きをする部品は、それぞれ同じ参照符号を付けている。
【００３４】
(1).参考例
まず、図１〜４の参考例を説明する。図示された事務用回転椅子は、ベースサポートユニット２を具備し、これにシート４ならびに背面サポート６が取り付けられている。背面サポート６は、左右横長のロッキング軸（傾斜軸）Ａ１を中心として回動できるように、ベースサポートユニット２に支承（連結）されている。ベースサポートユニット２は、ここで詳細に図示されていないシンクロ機構を受容する。これには重量調整用（ロッキングに対する抵抗の調節用）の機構も含まれている。これは、既述の自動重量調整装置として作ってあっても、手動調整式の重量調整装置として作ってあってもよい。
【００３５】
背面サポート６に、複数の部分部域に分割された背もたれ８が連結されている。背もたれ８は、肩部域１０と背面下部域１２を有する。実施形態では更に、上肩部域１０の上に、頭部域を形成する背面上部域１４がある。
【００３６】
また、背もたれ８を構成して上下に並んだ各部域１０，１２，１４は、それぞれ、中心部域１６を有し、中心部域１６の左右両側に側部域１８が連続している。
【００３７】
肩部域１０の下端と背面下部域１２の上端とは、腰椎部域２０において互いに境を接し、ここで、ヒンジ継手を介して互いにヒンジ式に締結されている。すなわち、肩部域１０の下端と背面下部域１２の上端とが連結されていることにより、使用者の腰部を支持する腰椎部域２０が形成されている。それゆえ、上肩部域１０と背面下部域１２とは、左右横長の共通の軸（以下、腰椎軸Ａ２と呼ぶ）を中心として互いに傾斜でき、これで、その相対する方位角が変えられることになる。すなわち、上肩部域１０と背面下部域１２とは、側面視姿勢が変わるように相対的に回動できる。腰椎部域２０は、手前にせり出している。
【００３８】
肩部域１０の背面は、この肩部域１０が左右横長の水平軸（以下、肩軸Ａ３と呼ぶ）を中心として傾斜し得るように、更なるヒンジ継手を介して背面サポート６にヒンジ式に連結されている。肩部域１０は、その上端と下端との間の中途部が、背面サポート６の上端部に連結されている。
肩部域１０には、補完的に、上下長手の左右２本の主垂直軸Ｂ１が左右対称に作られている。左右の主垂直軸Ｂ１は、上に向けて間隔が広がるように、鉛直線に対して傾斜している。また、背面下部域１２にも、上下長手の左右の下垂直軸Ｂ２が左右対称に作られている。左右の下垂直軸Ｂ２は、下に向けて間隔が広がるように、鉛直線に対して傾斜している。使用者が背もたれ８にもたれていない原姿勢において、左右の側部域１８は中心部域１６の側に傾斜しており、垂直軸Ｂ１、Ｂ２は、側部域１８が手前に旋回するのを可能にする（中心部域１６と側部域１８との成す角度が変化することを、可能にする。）。
【００３９】
実施形態において、背もたれ８はシート４と連結されている。それゆえ、背もたれ８は、背面サポート６を介してベースサポートユニット２に連結されていることに加えて、シート４とも連結されている。また、シート４は、背面下部域１２と連結された板状シート後部２２を具備する。この連結は特にヒンジ継手を介して行われ、少なくとも１つの左右横長の連結軸Ａ４を中心として、或る程度の旋回運動が可能である。
シート後部２２は、更なるヒンジ継手を介してシート軸Ａ５を中心として旋回できるように、シート前部２４に締結されている。つまり、シート４は、シート前部２４とシート後部２２とで構成されていて、両者は、連結軸Ａ４を中心にして相対的に回動可能である。両シート部分２２、２４は、ここで、プレート形又はシェル形に作られていて、特にツーピ−ス形のシートサポート体として形成され、それぞれクッションを支持する働きをする。
【００４０】
背面サポート６と背もたれ８の間に、ばねエレメント２６が配置されている（図３及び４を参照）。このばねエレメト２６が、復元力を肩部域１０に加え、これで、肩軸Ａ３を中心として肩部域１０が背面サポート６に対して回動することが可能となる。
【００４１】
図１〜４に描かれた実施形態において、背もたれ８の左右中央部は、複数の、プレート形又はシェル形の背面エレメントで構成されている。すなわち、背もたれ８は、肩部域１０の中心部域を形成する主中心エレメント２８と、背面下部域１２の中央部を形成する下中心エレメント３０と、背面上部域１４の中央部を形成する上中心エレメント３２とを具備する。上下に隣り合った中心エレメント２８，３０，３２は、左右横長で水平に走るヒンジ継手を介して互いに連結されている。主中心エレメント２８と下中心エレメント３０は、腰椎軸Ａ２を介して互いにヒンジ式に連結されている。上中心エレメント３２は、主中心エレメント２８と共にヘッド軸Ａ６を中心として傾斜できるように、主中心エレメント２８の上端に連結されている。
【００４２】
これらの中心エレメント２８，３０，３２の各々に、それぞれ左右の側部エレメント２９，３１，３３が連続しており、中心エレメント２８，３０，３２と側部エレメント２９，３１，３３とは、それぞれヒンジ式に連結されている。特に図３及び４の側面図から明らかな通り、側部エレメント２９，３１，３３はサイドから中心エレメント２８，３０，３２の手前側に延び、そこで、側部域１８は、角度を付けて中心部域１６の方に向いている。背面上部域１４の中心エレメント３２と左右の側部エレメント３３とは、それぞれ上垂直軸Ｂ３を介して連結されており、左右の上垂直軸Ｂ３は、上に向けて間隔が狭くなるように、鉛直線に対して左右対称に傾斜している。
【００４３】
各エレメント２８〜３３は、それぞれ台形ないしは楔形又は三角形の基礎面を持ち、これで、長手側から短手側に向かって細幅ないしは先細に延びている。個々の背面エレメント２８〜３３はそれぞれ支え合う形で配置されているので、隣り合ったエレメント２８〜３３は、それぞれ長手側又は短手側で互いに接している。これにより、腰椎部域２０にウエストが形作られている。同時に、側部エレメント２９，３１，３３は、サイドから前方へ引っ張られている。
【００４４】
図１〜４に示した実施形態の椅子の機能の仕方は、下記の通りである。
【００４５】
使用者が背もたれ８にもたれ掛かって背面サポート６が後傾すると（後ろに傾斜すると）、背もたれ８の肩部域１０は、背面サポート６と一緒に後退しつつ、肩軸Ａ３を中心として後方に傾斜する。すると、肩部域１０が背面下部域１２にヒンジ連結されていることから、背面下部域１２の方は、肩部域１０と一緒に後退しつつも、略上方へ引っ張られて、腰椎部域２０が背面サポート６に対して手前にせり出し、これにより、腰椎部域２０において身体に対する望みの支えが得られる。
同時に、側部エレメント２９，３１，３３同士の結合により、また、個々のエレメント２８〜３３の特殊な台形の形状により、側部エレメント２９，３１，３３は中心エレメント２８，３０，３２の手前側に折れ込むので、使用者の上体はよりうまく抱え込まれる。従ってまた、使用者の脇も、うまくガイドされることになる。
【００４６】
背もたれ８が腰椎部域２０において前方へせり出すことから、背面下部域１２の範囲内で長さ補正が必要である。これは、背面下部域１２とシート後部２２とのヒンジ結合と、シート後部２２とシート前部２４とのヒンジ結合とによって行われる。肩部域１０が後方に傾斜すると、シート後部２２は、背面下部域１２との連結部域、つまり連結軸Ａ４の部域が略垂直の方向に上方へ引っ張られる。同時に、シート後部２２がシート前部２４と向き合って旋回運動する。従って、肩部域１０が肩軸Ａ３を中心として傾斜した途端、シート後部２２は斜め上方へ連れていかれる（引っ張られる）。肩軸Ａ３は、ここで大体、肩部域１０の略上部三分の一の高さに位置している。
【００４７】
通常、肩部域１０の傾き調節は、背もたれ８全体がベースサポートユニット２と向き合って傾斜するのと同時に、つまり、背面サポート６が傾斜軸Ａ１を中心として傾斜するときに行われる。このような複合的な傾斜の様子が、図４に図３との比較で描かれている。図３に描かれた、背面サポート６が基本の直立位置にあるこの初期ポジションから出発して、傾き調節（肩部域１０と背面サポート６との相対姿勢の変化）のとき、図４において矢印３６で表された、個々のエレメントのそれぞれの軸Ａ１〜Ａ６を中心とする回動運動が行われる。
【００４８】
ロッキング軸Ａ１を中心とする背もたれ８の傾斜により、肩部域１０は、肩軸Ａ３によって斜め後方（上方）に引っ張られる。これにより、図３に描かれた初期場面と比べて背もたれ８は伸長される。つまり、肩部域１０の後傾角度が背面サポート６の後傾角度よりも小さいため、肩部域１０の背面と背面下部域１２の背面との成す角度は大きくなる（直線に近くなる。）。これにより、シート後部２２の後端は、下方へ（背面サポート６の方へ）引っ張られる（或いは、押される。）。図３に描かれた初期場面では略直角であったシート後部２２と背面下部域１２の間の角度は、幾らか小さくなる。
【００４９】
従って、個々の軸Ａ１〜Ａ６，Ｂ１，Ｂ２により、互いに連結されたヒンジ鎖またはリンク鎖が作られているのであり、これが、傾き調節時に（ロッキング時に）、背もたれ８の輪郭を望み通りの形状に強制的に適合させることにつながるのである。
【００５０】
背もたれ８の伸長によって、腰椎部域２０が後方へ（背面サポート６の方に）ずらされることにより、側部域１８において強制補正が引き起こされ、その結果、肩部域１０と背面下部域１２との側部エレメント２９，３１が垂直軸Ｂ１、Ｂ２を中心として前方に折れ込み、また補完的に、背面上部域１４の側部エレメント３３が、第３の垂直軸Ｂ３を中心として前方に折れ込むことになる。
【００５１】
背もたれ８が直立位置に戻るとき、運動は逆の順序で行われる。従って、ばねエレメント２６のばね力は、背もたれ８が直立位置から図４に描かれた傾斜位置に移行するときの伸長運動に対抗するように方向づけられている。
【００５２】
(2).実施形態
次に、図５〜８の示す実施形態を説明する。図５〜８に描かれた実施形態でも、機能の仕方は、参考例と基本的に同じである。従って、ここでも形作られているのは、傾斜時に背もたれの輪郭を強制的にガイドし、強制的に適合させることにつながるヒンジ鎖またはリンク鎖である。いずれにせよ、ここには、個々に形作られた背面エレメント２８〜３４は存在しない。背もたれ８はむしろ、１つの背フレーム３８、すなわち、背面下部域１２のフレーム下部４０と、肩部域１０のフレーム上部４２と、下クロスバー４４と上クロスバー４６からなる背フレーム３８を有する。フレーム下部４０とフレーム上部４２とによって、上下に長いサイドバーが構成されている。
本実施形態では、肩部域１０の上クロスバー４６が同時に、背面上部域１４の範囲内で見ると、ヘッドフレーム４８の下クロスバーを形成する。ヘッドフレーム４８は、フレーム上部４２の続く中で互いに向き合うサイド部分５０と、更に上のクロスバー５２を具備する。特に、上クロスバー４６と更に上のクロスバー５２は、ここで、後方に湾曲した形に作られている。フレーム部分４０、４２は、横側から見て、互いに角度を付けて配置されているので、腰椎部域２０は前方に湾曲している。
【００５３】
背フレーム３８は、全体として布５４が張られている。腰椎軸Ａ２を形作るべく、背フレーム３８には切欠き、つまりマテリアルテーパ５６が付けられている。両方の垂直軸Ｂ１、Ｂ２を形作るべく、相応の垂直方向の切欠き５６が、フレーム上部４２から上クロスバー４６への過渡領域と、フレーム下部４０から下クロスバー４４への過渡部域に付けられている。
【００５４】
上クロスバー４６は、背面サポート６の正面側の端と連結されており、この連結箇所において上クロスバー４６と背面サポート６の間の旋回運動（側面視での相対回動）が可能にされており、これによって肩軸Ａ３が限定されている。
【００５５】
図８の実施バリエーションでは、補完的になお、保持用ウェブを介して下クロスバー４４と回転不動で連結された腰椎サポート５８が配置されている。
【００５６】
図５は、背もたれ８が直立する無負荷状態の初期ポジションを示す。図６は、この無負荷の初期位置から出発して、もっぱら肩部域１０が肩軸Ａ３を中心として傾斜したときの位置を示す（傾斜軸Ａ１を中心とする傾斜なし）。すなわち、ヘッドフレーム４８が先に前方に傾斜した後、再びこのヘッドフレーム４８が後方に傾斜し、今や略直立の位置にある。そのため、布５４は全体的に幾らか上方に引っ張られる。
必要な長さ補正は、シート後部２２がシート軸Ａ５を中心として上方に引っ張られることによって行われる。同時にここで、連結軸Ａ４を中心として、好ましくは弾力的に保持し合っているシート後部２２と背面下部域１２の間の角度位置を変えることができる。本実施形態では、図５に示した位置から図６に示した位置へのこの運動のとき、両フレーム部分４０、４２の間の角度位置の変化はない。つまり、ここでは未だ背面サポート６は後傾しておらず、腰椎軸Ａ２を中心とする回動が行われていない。
【００５７】
図７では背面サポート６は後傾しており、このときは、肩部域１０が、図６のとおり、肩軸Ａ３を中心として後方に傾斜し、同時に、背もたれ８全体も傾斜軸Ａ１を中心として後方に傾斜するときの、重層的かつ複合的な傾き調節を示す。図４に示した参考例と同様、ここでも、背もたれ８の下方への伸長が起こり、ここで、シート後部２２は、図５に描かれた初期場面と比べ下方に旋回する。同時に、肩部域１０は後方に傾斜する。この伸長は、全体として、サイドフレーム部分４０、４２が垂直軸Ｂ１、Ｂ２を中心として内へ旋回し、より効果的にサイドガイドの働きをすることにつながる。
【００５８】
図８に示した実施バリエーションでは、腰椎が腰椎部域２０において補完的になお腰椎サポート５８で支えられる。
【符号の説明】
【００５９】
２  ベースサポートユニット
４  シート（座）
６  背面サポート
８  背もたれ
１０  肩部域
１２  背面下部域
１４  背面上部域
１６  中心部域
１８  側部域
２０  腰椎部域
２２  シート後部
２４  シート前部
２６  ばねエレメント
３８  背フレーム
４０  サイドバーを構成するフレーム下部
４２  サイドバーを構成するフレーム上部
４４  下クロスバー
４６  上クロスバー
４８  ヘッドフレーム
５０  ヘッドフレームのサイド部分
５２  ヘッドフレームを構成する更なるクロスバー
５４  布
５６  切欠き（ヒンジ）
５８  腰椎サポート
Ａ１  傾斜軸
Ａ２  腰椎軸
Ａ３  肩軸
Ａ４  連結軸
Ａ５  シート軸
Ａ６  ヘッド軸
Ｂ１  上垂直軸
Ｂ２  下垂直軸
【手続補正３】
【補正対象書類名】図面
【補正対象項目名】全図
【補正方法】変更
【補正の内容】
【図１】
2016105787.tif 000011
【図２】
2016105787.tif 000012
【図３】
2016105787.tif 000013
【図４】
2016105787.tif 000014
【図５】
2016105787.tif 000015
【図６】
2016105787.tif 000016
【図７】
2016105787.tif 000017
【図８】
2016105787.tif 000018